(57)【要約】【課題】異常が検出されている収納繰出部の異常を解消する際に、異常が検出されていない収納繰出部から誤って紙葉類が取り出されてしまうことを防止することができ、また、異常が解消された後に異常が発生していた収納繰出部に収納されている紙葉類のみについて精査処理を行えばよくなり、よってエラー復旧に要する時間を短縮することができる紙葉類処理機および紙葉類収納繰出機構を提供する。【解決手段】紙葉類処理機（例えば、紙幣処理装置２０）は、各々の収納繰出部（例えば、リサイクル式紙幣収納部２７）における異常を検出する異常検出手段５０と、所定条件が満たされたときに、異常検出手段５０により異常が検出された収納繰出部以外の収納繰出部からの紙葉類の繰り出しを抑止する紙葉類繰出抑止手段（紙幣繰出抑止手段５２）とを備えている。【選択図】図４
2018041143.tif 000002
【特許請求の範囲】
【請求項１】
各々が紙葉類を収納するとともに収納されている紙葉類を繰り出す、複数の収納繰出部と、
各々の前記収納繰出部における異常を検出する異常検出手段と、
所定条件が満たされたときに、前記異常検出手段により異常が検出された前記収納繰出部以外の前記収納繰出部からの紙葉類の繰り出しを抑止する紙葉類繰出抑止手段と、
を備えた、紙葉類処理機。
【請求項２】
各前記収納繰出部は、回転体を紙葉類の収納方向に回転させながら紙葉類とともに帯状の収納用媒体を前記回転体に巻き付けることにより当該紙葉類を収納するとともに前記回転体を前記収納方向とは逆方向の繰出方向に回転させることにより収納されている紙葉類を繰り出すようになっており、
前記紙葉類繰出抑止手段は、所定条件が満たされたときに、前記異常検出手段により異常が検出された前記収納繰出部以外の前記収納繰出部における前記回転体の前記繰出方向への回転動作を抑止するようになっている、請求項１記載の紙葉類処理機。
【請求項３】
前記所定条件が満たされたときに、前記異常検出手段により異常が検出された前記収納繰出部以外の前記収納繰出部における前記回転体が前記収納方向に一定時間回転させられるようになっている、請求項２記載の紙葉類処理機。
【請求項４】
各前記収納繰出部の前記回転体を回転させる駆動部が各前記収納繰出部に対応して設けられており、
前記紙葉類繰出抑止手段は、前記所定条件が満たされたときに、前記異常検出手段により異常が検出された前記収納繰出部以外の前記収納繰出部における前記回転体を前記繰出方向へ回転させる際の抵抗を大きくするよう当該回転体に対応する前記駆動部を制御する、請求項２または３記載の紙葉類処理機。
【請求項５】
前記回転体の軸を選択的にロックするロック部が各前記収納繰出部に対応して設けられており、
前記紙葉類繰出抑止手段は、前記所定条件が満たされたときに、前記異常検出手段により異常が検出された前記収納繰出部以外の前記収納繰出部における前記回転体の前記軸をロックするよう前記ロック部を制御する、請求項２または３記載の紙葉類処理機。
【請求項６】
操作者が手動により前記回転体を前記繰出方向に回転させる際に当該操作者により把持される把持部が各前記収納繰出部に対応して設けられており、
前記紙葉類繰出抑止手段は、前記所定条件が満たされたときに、前記異常検出手段により異常が検出された前記収納繰出部以外の前記収納繰出部における前記回転体と前記把持部との接続を遮断する、請求項２または３記載の紙葉類処理機。
【請求項７】
前記紙葉類繰出抑止手段は、前記所定条件として前記異常検出手段によりある前記収納繰出部における異常が検出されたときに、当該異常検出手段により異常が検出された前記収納繰出部以外の前記収納繰出部からの紙葉類の繰り出しを抑止するようになっている、請求項１乃至６のいずれか一項に記載の紙葉類処理機。
【請求項８】
操作者が指令の入力を行うための操作部を更に備え、
前記紙葉類繰出抑止手段は、前記所定条件として前記操作部により所定の指令が入力されたときに、前記異常検出手段により異常が検出された前記収納繰出部以外の前記収納繰出部からの紙葉類の繰り出しを抑止するようになっている、請求項１乃至６のいずれか一項に記載の紙葉類処理機。
【請求項９】
筐体と、
前記筐体から引出可能となっており、各前記収納繰出部が設けられている引出部と、
前記引出部が前記筐体から引き出されたときにこのことを検知する引出検知部と、
を更に備え、
前記紙葉類繰出抑止手段は、前記所定条件として前記引出部が前記筐体から引き出されたことが前記引出検知部により検知されたときに、前記異常検出手段により異常が検出された前記収納繰出部以外の前記収納繰出部からの紙葉類の繰り出しを抑止するようになっている、請求項１乃至６のいずれか一項に記載の紙葉類処理機。
【請求項１０】
各前記収納繰出部に設けられた扉であって、当該扉が開かれたときに各前記収納繰出部へのアクセスが可能となるような扉と、
前記扉が開かれたときにこのことを検知する扉開閉検知部と、
を備え、
前記紙葉類繰出抑止手段は、前記所定条件として前記扉が開かれたことが前記扉開閉検知部により検知されたときに、前記異常検出手段により異常が検出された前記収納繰出部以外の前記収納繰出部からの紙葉類の繰り出しを抑止するようになっている、請求項１乃至６のいずれか一項に記載の紙葉類処理機。
【請求項１１】
各々が紙葉類を収納するとともに収納されている紙葉類を繰り出す、複数の収納繰出部と、
各々の前記収納繰出部における異常を検出する異常検出手段と、
を備え、
所定条件が満たされたときに、前記異常検出手段により異常が検出された前記収納繰出部以外の前記収納繰出部からの紙葉類の繰り出しが抑止されるようになっている、紙葉類収納繰出機構。
【請求項１２】
各前記収納繰出部は、回転体を紙葉類の収納方向に回転させながら紙葉類とともに帯状の収納用媒体を前記回転体に巻き付けることにより当該紙葉類を収納するとともに前記回転体を前記収納方向とは逆方向の繰出方向に回転させることにより収納されている紙葉類を繰り出すようになっており、
所定条件が満たされたときに、前記異常検出手段により異常が検出された前記収納繰出部以外の前記収納繰出部における前記回転体の前記繰出方向への回転動作が抑止されるようになっている、請求項１１記載の紙葉類収納繰出機構。
【請求項１３】
前記所定条件が満たされたときに、前記異常検出手段により異常が検出された前記収納繰出部以外の前記収納繰出部における前記回転体が前記収納方向に一定時間回転させられるようになっている、請求項１２記載の紙葉類収納繰出機構。
【発明の詳細な説明】
【技術分野】
【０００１】
本発明は、紙幣等の紙葉類の処理を行う紙葉類処理機およびこのような紙葉類処理機に設けられた紙葉類収納繰出機構に関する。
【背景技術】
【０００２】
スーパーマーケットやコンビニエンスストア等の店舗や金融機関において、紙幣や硬貨の入金処理や出金処理を行う貨幣処理機が設置されている。このような貨幣処理機は、紙幣の入金処理や出金処理を行う紙幣処理機と、硬貨の入金処理や出金処理を行う硬貨処理機とを左右に並べたものから構成されている。ここで、紙幣処理機としては、例えば特許文献１等に開示されるようなものが従来から知られている。特許文献１に開示される紙幣処理機では、紙幣を２枚のテープの間に挟持してドラムに巻回する巻取り式収納部が複数設けられており、紙幣の入金処理が行われる際には筐体の内部に繰り出された紙幣が識別部により識別された後に各巻取り式収納部に例えば金種毎に収納されるようになっている。一方、特許文献１に開示される紙幣処理機において紙幣の出金処理が行われる際には各巻取り式収納部から巻き出された紙幣が筐体の外部に投出されるようになっている。
【先行技術文献】
【特許文献】
【０００３】
【特許文献１】特開２００６−２６００７８号公報
【発明の概要】
【発明が解決しようとする課題】
【０００４】
特許文献１等に開示されるような従来の紙幣処理機において、ある巻取り式収納部で紙幣の詰まり等の異常が発生した場合には、異常が発生した旨のメッセージが表示部に表示されるようになる。この場合には、操作者は表示部に表示されるガイダンス画面を見ながら手動でエラー解除を行う必要がある。具体的には、操作者はまず筐体の外扉を開け、次に各巻取り式収納部が設けられている引出ユニットを筐体の外部に引き出す。その後、操作者は各巻取り式収納部の側面を閉止しているスタッカー扉を開き、さらに各巻取り式収納部に対応して設けられているマニュアルノブを回転させることにより手動でドラムから紙幣を巻き出す。このことにより、巻取り式収納部における紙幣の詰まり等の異常を解消することができるようになる。
【０００５】
しかしながら、上述した従来の紙幣処理機では、各巻取り式収納部が設けられている引出ユニットを筐体の外部に引き出した後、各巻取り式収納部の側面を閉止しているスタッカー扉を開くと、操作者は異常が発生している巻取り式収納部以外の巻取り式収納部（すなわち、異常が発生していない巻取り式収納部）のマニュアルノブも回すことができるようになるため、このような異常が発生していない巻取り式収納部からも紙幣を取り出すことができるようになってしまう。このため、巻取り式収納部における異常が解消された後、全ての巻取り式収納部に収納されている紙幣について精査処理を行う必要があるため、エラー復旧に時間がかかるという問題があった。なお、紙幣の精査処理とは、巻取り式収納部に収納されている紙幣の在高を確認する処理のことをいい、具体的には、巻取り式収納部から紙幣を繰り出して識別部により識別させた後に当該紙幣を元の巻取り式収納部に戻すような処理のことをいう。
【０００６】
本発明は、このような点を考慮してなされたものであり、異常が検出されている収納繰出部の異常を解消する際に、異常が検出されていない収納繰出部から誤って紙葉類が取り出されてしまうことを防止することができ、また、異常が解消された後に異常が発生していた収納繰出部に収納されている紙葉類のみについて精査処理を行えばよくなり、よってエラー復旧に要する時間を短縮することができる紙葉類処理機および紙葉類収納繰出機構を提供することを目的とする。
【課題を解決するための手段】
【０００７】
本発明の紙葉類処理機は、各々が紙葉類を収納するとともに収納されている紙葉類を繰り出す、複数の収納繰出部と、各々の前記収納繰出部における異常を検出する異常検出手段と、所定条件が満たされたときに、前記異常検出手段により異常が検出された前記収納繰出部以外の前記収納繰出部からの紙葉類の繰り出しを抑止する紙葉類繰出抑止手段と、
を備えたことを特徴とする。
【０００８】
このような紙葉類処理機によれば、所定条件が満たされたときに、異常が検出された収納繰出部以外の収納繰出部からの紙葉類の繰り出しを抑止することにより、異常が検出されていない収納繰出部から紙葉類が取り出されてしまうことを防止することができるため、異常が検出されている収納繰出部の異常を解消する際に、異常が検出されていない収納繰出部から誤って紙葉類が取り出されてしまうことを防止することができ、また、異常が解消された後に異常が発生していた収納繰出部に収納されている紙葉類のみについて精査処理を行えばよくなり、よってエラー復旧に要する時間を短縮することができる。
【０００９】
本発明の紙葉類処理機においては、各前記収納繰出部は、回転体を紙葉類の収納方向に回転させながら紙葉類とともに帯状の収納用媒体を前記回転体に巻き付けることにより当該紙葉類を収納するとともに前記回転体を前記収納方向とは逆方向の繰出方向に回転させることにより収納されている紙葉類を繰り出すようになっており、前記紙葉類繰出抑止手段は、所定条件が満たされたときに、前記異常検出手段により異常が検出された前記収納繰出部以外の前記収納繰出部における前記回転体の前記繰出方向への回転動作を抑止するようになっていてもよい。
【００１０】
この場合、前記所定条件が満たされたときに、前記異常検出手段により異常が検出された前記収納繰出部以外の前記収納繰出部における前記回転体が前記収納方向に一定時間回転させられるようになっていてもよい。
【００１１】
また、各前記収納繰出部の前記回転体を回転させる駆動部が各前記収納繰出部に対応して設けられており、前記紙葉類繰出抑止手段は、前記所定条件が満たされたときに、前記異常検出手段により異常が検出された前記収納繰出部以外の前記収納繰出部における前記回転体を前記繰出方向へ回転させる際の抵抗を大きくするよう当該回転体に対応する前記駆動部を制御するようになっていてもよい。
【００１２】
あるいは、前記回転体の軸を選択的にロックするロック部が各前記収納繰出部に対応して設けられており、前記紙葉類繰出抑止手段は、前記所定条件が満たされたときに、前記異常検出手段により異常が検出された前記収納繰出部以外の前記収納繰出部における前記回転体の前記軸をロックするよう前記ロック部を制御するようになっていてもよい。
【００１３】
あるいは、操作者が手動により前記回転体を前記繰出方向に回転させる際に当該操作者により把持される把持部が各前記収納繰出部に対応して設けられており、前記紙葉類繰出抑止手段は、前記所定条件が満たされたときに、前記異常検出手段により異常が検出された前記収納繰出部以外の前記収納繰出部における前記回転体と前記把持部との接続を遮断するようになっていてもよい。
【００１４】
本発明の紙葉類処理機においては、前記紙葉類繰出抑止手段は、前記所定条件として前記異常検出手段によりある前記収納繰出部における異常が検出されたときに、当該異常検出手段により異常が検出された前記収納繰出部以外の前記収納繰出部からの紙葉類の繰り出しを抑止するようになっていてもよい。
【００１５】
あるいは、本発明の紙葉類処理機は、操作者が指令の入力を行うための操作部を更に備え、前記紙葉類繰出抑止手段は、前記所定条件として前記操作部により所定の指令が入力されたときに、前記異常検出手段により異常が検出された前記収納繰出部以外の前記収納繰出部からの紙葉類の繰り出しを抑止するようになっていてもよい。
【００１６】
あるいは、本発明の紙葉類処理機は、筐体と、前記筐体から引出可能となっており、各前記収納繰出部が設けられている引出部と、前記引出部が前記筐体から引き出されたときにこのことを検知する引出検知部と、を更に備え、前記紙葉類繰出抑止手段は、前記所定条件として前記引出部が前記筐体から引き出されたことが前記引出検知部により検知されたときに、前記異常検出手段により異常が検出された前記収納繰出部以外の前記収納繰出部からの紙葉類の繰り出しを抑止するようになっていてもよい。
【００１７】
あるいは、本発明の紙葉類処理機は、各前記収納繰出部に設けられた扉であって、当該扉が開かれたときに各前記収納繰出部へのアクセスが可能となるような扉と、前記扉が開かれたときにこのことを検知する扉開閉検知部と、を備え、前記紙葉類繰出抑止手段は、前記所定条件として前記扉が開かれたことが前記扉開閉検知部により検知されたときに、前記異常検出手段により異常が検出された前記収納繰出部以外の前記収納繰出部からの紙葉類の繰り出しを抑止するようになっていてもよい。
【００１８】
本発明の紙葉類収納繰出機構は、各々が紙葉類を収納するとともに収納されている紙葉類を繰り出す、複数の収納繰出部と、各々の前記収納繰出部における異常を検出する異常検出手段と、を備え、所定条件が満たされたときに、前記異常検出手段により異常が検出された前記収納繰出部以外の前記収納繰出部からの紙葉類の繰り出しが抑止されるようになっていることを特徴とする。
【００１９】
このような紙葉類収納繰出機構によれば、所定条件が満たされたときに、異常が検出された収納繰出部以外の収納繰出部からの紙葉類の繰り出しを抑止することにより、異常が検出されていない収納繰出部から紙葉類が取り出されてしまうことを防止することができるため、異常が検出されている収納繰出部の異常を解消する際に、異常が検出されていない収納繰出部から誤って紙葉類が取り出されてしまうことを防止することができ、また、異常が解消された後に異常が発生していた収納繰出部に収納されている紙葉類のみについて精査処理を行えばよくなり、よってエラー復旧に要する時間を短縮することができる。
【００２０】
本発明の紙葉類収納繰出機構においては、各前記収納繰出部は、回転体を紙葉類の収納方向に回転させながら紙葉類とともに帯状の収納用媒体を前記回転体に巻き付けることにより当該紙葉類を収納するとともに前記回転体を前記収納方向とは逆方向の繰出方向に回転させることにより収納されている紙葉類を繰り出すようになっており、所定条件が満たされたときに、前記異常検出手段により異常が検出された前記収納繰出部以外の前記収納繰出部における前記回転体の前記繰出方向への回転動作が抑止されるようになっていてもよい。
【００２１】
この場合、所定条件が満たされたときに、前記異常検出手段により異常が検出された前記収納繰出部以外の前記収納繰出部における前記回転体が前記収納方向に一定時間回転させられるようになっていてもよい。
【発明の効果】
【００２２】
本発明の紙葉類処理機および紙葉類収納繰出機構によれば、異常が検出されている収納繰出部の異常を解消する際に、異常が検出されていない収納繰出部から誤って紙葉類が取り出されてしまうことを防止することができ、また、異常が解消された後に異常が発生していた収納繰出部に収納されている紙葉類のみについて精査処理を行えばよくなり、よってエラー復旧に要する時間を短縮することができる。
【図面の簡単な説明】
【００２３】
【図１】本発明の実施の形態による貨幣処理機の外観を示す斜視図である。
【図２】図１に示す貨幣処理機における紙幣処理装置の内部構成を示す構成図である。
【図３】図２に示す紙幣処理装置における引出ユニットの構成の詳細を示す斜視図である。
【図４】図２に示す紙幣処理装置におけるリサイクル式紙幣収納部の構成の詳細を示す側面図である。
【図５】図１に示す貨幣処理機における硬貨処理装置の内部構成を示す構成図である。
【図６】図１に示す貨幣処理機における制御系の構成を示す機能ブロック図である。
【図７】図２に示す紙幣処理装置におけるリサイクル式紙幣収納部のリールに設けられた歯車および角度検知センサの構成を示す構成図である。
【発明を実施するための形態】
【００２４】
以下、図面を参照して本発明の実施の形態について説明する。図１乃至図７は、本実施の形態による貨幣処理機を示す図である。このうち、図１は、本実施の形態による貨幣処理機の外観を示す斜視図であり、図２は、図１に示す貨幣処理機における紙幣処理装置の内部構成を示す構成図である。また、図３は、図２に示す紙幣処理装置における引出ユニットの構成の詳細を示す斜視図であり、図４は、図２に示す紙幣処理装置におけるリサイクル式紙幣収納部の構成の詳細を示す側面図である。また、図５は、図１に示す貨幣処理機における硬貨処理装置の内部構成を示す構成図である。また、図６は、図１に示す貨幣処理機における制御系の構成を示す機能ブロック図である。また、図７は、図２に示す紙幣処理装置におけるリサイクル式紙幣収納部のリールに設けられた歯車および角度検知センサの構成を示す構成図である。本実施の形態による貨幣処理機は、例えば店舗等のバックヤード領域に設置されており、店舗等における売上金としての貨幣の入金処理や、釣銭準備金等の貨幣の出金処理、および回収業務を行う回収業者へ売上金等の貨幣を引き渡す引渡処理等を行うようになっている。
【００２５】
図１に示すように、本実施の形態による貨幣処理機１０は略直方体形状の筐体１１を備えており、この筐体１１の内部には、貨幣処理機１０を前方から見て上部において左右に並ぶよう配置された紙幣処理装置２０および硬貨処理装置３０が設けられている。ここで、紙幣処理装置２０および硬貨処理装置３０は、それぞれ、紙幣や硬貨の入金処理および出金処理を行うようになっている。また、貨幣処理機１０の筐体１１の内部において、紙幣処理装置２０および硬貨処理装置３０の下方には、硬貨および紙幣の収納を行う貨幣収納部４０が設けられている。ここで、貨幣処理機１０のうち、紙幣処理装置２０および硬貨処理装置３０は店舗側の管理権限下にあり、貨幣収納部４０は回収業者側の管理権限下にある。
【００２６】
以下、紙幣処理装置２０、硬貨処理装置３０および貨幣収納部４０の詳細について説明する。
【００２７】
まず、紙幣処理装置２０の構成について図１乃至図４を用いて説明する。図２は、図１に示す紙幣処理装置２０の内部構成を右側から見たときの図である。なお、図２における筐体１１の左側の側面が紙幣処理装置２０の前面側（すなわち、紙幣処理装置２０を手前側から見たときの正面側）となっており、図２における右方向が筐体１１の奥行き方向となっている。また、図３は、図２に示す紙幣処理装置２０における引出ユニット２０ａ（後述）の構成の詳細を示す斜視図である。また、図４は、図２に示す紙幣処理装置２０におけるリサイクル式紙幣収納部２７の構成の詳細を示す側面図である。
【００２８】
図１および図２に示すように、紙幣処理装置２０は、当該紙幣処理装置２０内への紙幣の取り込みを行う紙幣投入口２１と、紙幣処理装置２０内に取り込まれた紙幣のうち偽札や識別不能な紙幣等のリジェクトを行う紙幣リジェクト口２２と、紙幣処理装置２０内に取り込まれた紙幣のうち貨幣収納部４０に収納されない紙幣を紙幣処理装置２０の外部に返却する紙幣返却口２３とを備えている。また、図２に示すように、紙幣処理装置２０の内部には、紙幣投入口２１に投入された紙幣を紙幣処理装置２０内で搬送する搬送部２５が設けられている。
【００２９】
紙幣投入口２１は、操作者により１または束状態の複数の紙幣が短手方向に一括して投入されるよう構成されている。図１に示すように、この紙幣投入口２１には紙幣ステージ２８が配設されている。紙幣ステージ２８は、待機時には上昇位置にありこの際には操作者は紙幣投入口２１に紙幣を投入することができず、一方、紙幣の入金処理時や補充処理時には下降して操作者が紙幣投入口２１に紙幣を投入することができるように構成されている。また、図２に示すように、紙幣投入口２１は搬送部２５に接続されており、紙幣投入口２１に投入された１または束状態の複数の紙幣は、１枚ずつ搬送部２５に繰り出されて当該搬送部２５で搬送されるようになっている。また、紙幣リジェクト口２２は、図２に示すように搬送部２５に接続されており、紙幣投入口２１により紙幣処理装置２０内に取り込まれた紙幣のうち後述する識別部２６によりリジェクトすべき紙幣であると識別された紙幣や識別部２６で識別することができなかった紙幣が搬送部２５から送られるようになっている。操作者はこの紙幣リジェクト口２２に送られた紙幣を筐体１１の前面側から取り出すことができるようになっている。
【００３０】
紙幣返却口２３には、図２に示すように、搬送部２５に接続された紙幣保留部２９が設けられている。この紙幣保留部２９には、搬送部２５から紙幣が送られるようになっている。また、紙幣返却口２３には開閉可能な扉２４が設けられている。紙幣保留部２９にある紙幣を返却する場合には、紙幣保留部２９の装置前面側の壁面が開いて、操作者は扉２４から紙幣を取り出すことができるようになっている。扉２４は、紙幣の取り出しが可能な状態になれば、自動的に開くようになっている。なお、後述のように、紙幣保留部２９内に保留された紙幣は、操作者により紙幣返却口２３から取り出される代わりに、貨幣収納部４０内に配置された紙幣回収カセット４１（後述）に送られる場合もある。
【００３１】
搬送部２５は、紙幣処理装置２０の内部で紙幣を１枚ずつ順次搬送する機能を有している。具体的には、搬送部２５において、紙幣は一対のベルト間に挟まれて搬送路に沿って搬送されるようになっている。また、図２に示すように、搬送部２５に設けられた搬送路は様々な箇所で分岐するようになっており、この搬送路が分岐する箇所には分岐部材（図示せず）が設けられている。各分岐部材は例えば分岐爪からなり、これらの分岐部材はそれぞれ後述する制御部１５により制御されるようになっている。また、搬送部２５には、当該搬送部２５で搬送される紙幣の識別を行う識別部２６が介設されている。この識別部２６は、搬送部２５で搬送される紙幣の金種、真偽、正損、表裏、新旧、搬送状態等を識別するようになっている。識別部２６による紙幣の識別結果は後述する制御部１５に送られるようになっている。
【００３２】
紙幣処理装置２０の内部には、複数（例えば３つ）のリサイクル式紙幣収納部２７が横方向に並ぶよう設けられている。ここで、複数のリサイクル式紙幣収納部２７ａ〜２７ｃは、概して金種毎に紙幣を一時的に収納するようになっている。図２に示すように、各リサイクル式紙幣収納部２７は、正逆両方向に回転可能なドラム２７ｐをそれぞれ有しており、各ドラム２７ｐに帯状のテープ２７ｓ（収納用媒体）が巻き取られるようになっている。搬送部２５から各リサイクル式紙幣収納部２７に送られた紙幣は、テープ２７ｓに押さえられた状態で１枚ずつ順次ドラム２７ｐにより巻き取られて収納される。また、ドラム２７ｐを逆転させると、巻き取られた紙幣が１枚ずつ搬送部２５に送られる。このように、各リサイクル式紙幣収納部２７は、紙幣を金種毎に収納するとともに収納されている紙幣を繰り出す収納繰出部として機能するようになる。このようなリサイクル式紙幣収納部２７の構成の詳細については後述する。
【００３３】
紙幣保留部２９は、前述のように紙幣返却口２３に設けられており、図２に示すように搬送部２５に接続されている。この紙幣保留部２９には、紙幣投入口２１に投入された紙幣や、各リサイクル式紙幣収納部２７に収納された紙幣が搬送部２５により送られるようになっており、搬送部２５から送られた紙幣を束状態で複数保留することができるようになっている。図２に示すように、紙幣保留部２９には一時保留板２９ａおよび押さえ部材２９ｂが設けられている。ここで、紙幣保留部２９にある紙幣を返却する場合には、前述のように、筐体１１の前面側における紙幣保留部２９の壁面が開いて、操作者は扉２４から紙幣を取り出すことができるようになっている。扉２４は、紙幣の取り出しが可能な状態になれば、自動的に開くようになっている。また、紙幣保留部２９に紙幣が保留される際に、紙幣は一時保留板２９ａに載せられるようになっており、紙幣保留部２９にある紙幣を紙幣回収カセット４１に収納させる際には、この紙幣回収カセット４１に設けられたステージ４１ａが紙幣保留部２９の一時保留板２９ａに載せられた紙幣を迎えにいき、一時保留板２９ａが図２の矢印方向に退避することにより紙幣をステージ４１ａ上に載せて紙幣保留部２９から紙幣回収カセット４１へ下降し、そしてステージ４１ａ上の紙幣を上から押さえ部材２９ｂで押さえて紙幣回収カセット４１へ収納するようになっている。
【００３４】
また、本実施の形態の紙幣処理装置２０では、紙幣投入口２１、紙幣リジェクト口２２、紙幣返却口２３、搬送部２５、各リサイクル式紙幣収納部２７は図３に示すような引出ユニット２０ａに設けられており、当該引出ユニット２０ａは筐体１１の前面側から手前側に引出可能となっている。また、引出ユニット２０ａの側面には、各リサイクル式紙幣収納部２７の側面を閉止するスタッカー扉２０ｂが設けられており、操作者は引出ユニット２０ａを筐体１１の前面側から手前側に引き出した後、スタッカー扉２０ｂを開くことにより各リサイクル式紙幣収納部２７にアクセスすることができるようになっている。
【００３５】
次に、各リサイクル式紙幣収納部２７の構成の詳細について図３および図４を用いて説明する。上述したように、各リサイクル式紙幣収納部２７において、正逆両方向に回転可能なドラム２７ｐが設けられており、このドラム２７ｐに帯状のテープ２７ｓが巻き取られるようになっている。より詳細には、各リサイクル式紙幣収納部２７には、帯状のテープ２７ｓの一端が外周面に取り付けられているリール２７ｅと、テープ２７ｓを案内する各案内ローラ２７ｆ、２７ｇ、２７ｈ、２７ｉとがそれぞれ設けられており、帯状のテープ２７ｓの他端はドラム２７ｐの外周面に取り付けられている。また、各案内ローラ２７ｇ、２７ｈの外周面は近接しており、これらの各案内ローラ２７ｇ、２７ｈの近接箇所の近傍には紙幣の出入口２７ｔが設けられている。また、ドラム２７ｐには、環状のベルト２７ｊが掛け渡されるプーリ２７ｄが取り付けられており、ドラム２７ｐおよびプーリ２７ｄは同一の軸心を中心として同期して回転するようになっている。また、プーリ２７ｄに掛け渡されている環状のベルト２７ｊは、リール２７ｅに取り付けられているプーリ２７ｋ（図３参照）にも掛け渡されている。ここで、リール２７ｅおよびプーリ２７ｋは同一の軸心を中心として同期して回転するようになっている。このように、プーリ２７ｄ、２７ｋに環状のベルト２７ｊが掛け渡されていることにより、ドラム２７ｐおよびリール２７ｅは同期して回転するようになる。また、ドラム２７ｐは駆動モータ等の駆動部２７ｘ（図６参照）により正逆両方向に回転させられるようになっている。
【００３６】
ドラム２７ｐおよびリール２７ｅが図４における時計回りの方向に回転すると、リール２７ｅから巻き出されたテープ２７ｓがドラム２７ｐに巻き取られるようになる。より詳細には、リール２７ｅから巻き出されたテープ２７ｓは、案内ローラ２７ｆ、案内ローラ２７ｇ、ドラム２７ｐ、案内ローラ２７ｉ、案内ローラ２７ｈを経て最終的にドラム２７ｐに巻き取られるようになる。また、上述したように、各案内ローラ２７ｇ、２７ｈの近接箇所の近傍には紙幣の出入口２７ｔが設けられており、この出入口２７ｔから一対のテープ２７ｓの間に送られた紙幣（図４において参照符合Ｐで表示）はテープ２７ｓごとドラム２７ｐに巻き取られるようになる。このようなドラム２７ｐの回転方向（すなわち、図４における時計回りの方向）を収納方向という。一方、ドラム２７ｐおよびリール２７ｅが図４における反時計回りの方向に回転すると、ドラム２７ｐから巻き出されたテープ２７ｓがリール２７ｅに巻き取られるようになる。より詳細には、ドラム２７ｐから巻き出されたテープ２７ｓは、案内ローラ２７ｈ、案内ローラ２７ｉ、ドラム２７ｐ、案内ローラ２７ｇ、案内ローラ２７ｆを経てリール２７ｅに巻き取られるようになる。また、ドラム２７ｐからテープ２７ｓが巻き出されると、一対のテープ２７ｓの間から紙幣が解放され、この解放された紙幣が出入口２７ｔから排出されるようになる。このようなドラム２７ｐの回転方向（すなわち、図４における反時計回りの方向）を繰出方向という。
【００３７】
また、図３に示すように、各リサイクル式紙幣収納部２７には第１マニュアルノブ２７ｑおよび第２マニュアルノブ２７ｒがそれぞれ設けられている。第１マニュアルノブ２７ｑは案内ローラ２７ｈに接続されており、操作者がこの第１マニュアルノブ２７ｑを回すと案内ローラ２７ｈを手動で回転させることができるようになっている。また、第２マニュアルノブ２７ｒはドラム２７ｐに接続されており、操作者がこの第２マニュアルノブ２７ｒを回すとドラム２７ｐを手動で回転させることができるようになっている。このように、リサイクル式紙幣収納部２７で紙幣の詰まり等の異常が発生した場合には、操作者は各リサイクル式紙幣収納部２７の側面を閉止しているスタッカー扉２０ｂを開き、さらに各リサイクル式紙幣収納部２７に対応して設けられているマニュアルノブ２７ｑ、２７ｒを回転させることにより手動でドラム２７ｐから紙幣を巻き出すことができるようになり、このことにより、リサイクル式紙幣収納部２７における紙幣の詰まり等の異常を解消することができるようになっている。
【００３８】
また、各リサイクル式紙幣収納部２７において出入口２７ｔの近傍には入口検知センサ２７ｚが設けられている。入口検知センサ２７ｚは発光素子および受光素子を有する光センサ等から構成されており、出入口２７ｔの近傍においてドラム２７ｐに巻き取られていない紙幣が存在する場合には当該紙幣を入口検知センサ２７ｚにより検知することができるようになっている。
【００３９】
また、各リサイクル式紙幣収納部２７において、ドラム２７ｐの軸を選択的にロックするロック部２７ｙ（図６参照）が設けられている。このようなロック部２７ｙによりドラム２７ｐの軸がロックされると、ドラム２７ｐを回転させることができなくなる。すなわち、ドラム２７ｐの軸がロックされると、操作者はスタッカー扉２０ｂを開いてもマニュアルノブ２７ｑ、２７ｒを回転させることができなくなる。
【００４０】
また、図６に示すように、本実施の形態による紙幣処理装置２０には引出検知部２０ｐ、扉開閉検知部２０ｑ、異常検出手段５０および紙幣繰出抑止手段５２がそれぞれ設けられている。引出検知部２０ｐは、引出ユニット２０ａが筐体１１から引き出されたときにこのことを検知するようになっている。また、扉開閉検知部２０ｑは、スタッカー扉２０ｂが開かれたときにこのことを検知するようになっている。また、異常検出手段５０は、各々のリサイクル式紙幣収納部２７において紙幣の詰まり等の異常が発生したときにこの異常を検出するようになっている。また、紙幣繰出抑止手段５２は、所定条件が満たされたときに、異常検出手段５０により異常が検出されたリサイクル式紙幣収納部２７以外のリサイクル式紙幣収納部２７からの紙幣の繰り出しを抑止するようになっている。より詳細には、紙幣繰出抑止手段５２は、所定条件が満たされたときに、異常検出手段５０により異常が検出されたリサイクル式紙幣収納部２７以外のリサイクル式紙幣収納部２７におけるドラム２７ｐの繰出方向（すなわち、図４における反時計回りの方向）への回転動作を抑止するようになっている。これらの引出検知部２０ｐ、扉開閉検知部２０ｑ、異常検出手段５０および紙幣繰出抑止手段５２の機能の詳細については後述する。
【００４１】
次に、硬貨処理装置３０の構成について図１および図５を用いて説明する。図５は、図１に示す硬貨処理装置３０の内部構成を右側から見たときの図である。なお、図５における筐体１１の左側の側面が硬貨処理装置３０の前面側（すなわち、硬貨処理装置３０を手前側から見たときの正面側）となっており、図５における右方向が筐体１１の奥行き方向となっている。
【００４２】
図１および図５に示すように、硬貨処理装置３０は、当該硬貨処理装置３０内への硬貨の取り込みを行う硬貨投入口３１と、硬貨投入口３１により硬貨処理装置３０内へ取り込まれた硬貨を１枚ずつ繰り出す硬貨繰出部３３と、硬貨繰出部３３により繰り出された硬貨を硬貨処理装置３０内で１枚ずつ搬送する搬送部３５と、硬貨処理装置３０内に取り込まれた硬貨のうち偽貨や識別不能な硬貨等のリジェクトを行う硬貨リジェクト口３２とを備えている。
【００４３】
硬貨投入口３１は、操作者により１または複数の硬貨が一括して投入されるよう構成されている。また、図１に示すように、硬貨投入口３１には、当該硬貨投入口３１の開閉を行う開閉部材としてシャッタ３１ａが設けられており、シャッタ３１ａにより硬貨投入口３１が開かれた場合においてのみ当該硬貨投入口３１に硬貨を投入することができるようになっている。また、硬貨投入口３１の下方には、ホッパ等から構成される硬貨繰出部３３が設けられており、硬貨投入口３１に投入された硬貨は自重により落下して硬貨繰出部３３に貯留されるようになっている。また、硬貨繰出部３３は、当該硬貨繰出部３３に貯留されている硬貨を１枚ずつ搬送部３５に繰り出すようになっている。
【００４４】
搬送部３５は、硬貨繰出部３３から繰り出された硬貨を１枚ずつ図３における右方向に搬送するようになっている。また、搬送部３５には、上流側から順に、搬送部３５で搬送される硬貨の識別を行う識別部３５ａ、識別部３５ａにより偽貨や識別不能な硬貨等であると識別された硬貨を選別するリジェクト選別部３５ｂ、識別部３５ａにより識別された硬貨の金種に対応する、後述するリサイクル式硬貨収納部３４がフル状態またはニアフル状態である場合に当該硬貨を選別するオーバーフロー選別部３５ｃ、および硬貨を金種毎に選別する選別部３６がそれぞれ設けられている。識別部３５ａは、搬送部３５で搬送される硬貨の金種、真偽、正損、表裏、新旧、搬送状態等を識別するようになっている。識別部３５ａによる硬貨の識別結果は後述する制御部１５に送られるようになっている。また、リジェクト選別部３５ｂは、識別部３５ａにより偽貨や識別不能な硬貨等であると識別された硬貨を搬送部３５から選別し、この選別された硬貨を硬貨リジェクト口３２に送るようになっている。また、オーバーフロー選別部３５ｃは、識別部３５ａにより識別された硬貨の金種に対応する、後述するリサイクル式硬貨収納部３４がフル状態またはニアフル状態である場合に当該硬貨を搬送部３５から選別し、この選別された硬貨を出金一時保留部３７（後述）に直接送るようになっている。また、選別部３６は、識別部３５ａにより識別された硬貨の金種に基づいて、搬送部３５から硬貨を金種毎に選別して後述する各リサイクル式硬貨収納部３４に金種毎に送るようになっている。
【００４５】
硬貨処理装置３０の内部には、複数（例えば６つ）のリサイクル式硬貨収納部３４が並列に設けられている。各リサイクル式硬貨収納部３４には、選別部３６により搬送部３５から選別された硬貨が収納されるようになっている。また、各リサイクル式硬貨収納部３４における硬貨収納領域の底部には繰出ベルト等の繰出部が設けられており、各リサイクル式硬貨収納部３４に収納されている硬貨は繰出部により１枚ずつ後述する出金搬送部３４ａに繰り出されるようになっている。このように、各リサイクル式硬貨収納部３４は、硬貨を金種毎に収納するとともに収納されている硬貨を繰り出す収納繰出部として機能するようになる。各リサイクル式硬貨収納部３４から繰り出された硬貨は出金搬送部３４ａにより後述する出金一時保留部３７に送られるようになっている。
【００４６】
出金一時保留部３７は、図５において実線で示すような保留位置と、保留位置から図５において左側に移動した位置である出金位置（図５において二点鎖線で表示）と、保留位置から図５において右側に移動した位置である引渡位置（図５において二点鎖線で表示）との間で水平方向に移動可能となっている。なお、通常時は出金一時保留部３７は保留位置で待機するようになっている。出金一時保留部３７が保留位置で待機しているときには、オーバーフロー選別部３５ｃにより搬送部３５から選別された硬貨や、各リサイクル式硬貨収納部３４から繰り出された硬貨が出金一時保留部３７に送られ、この出金一時保留部３７に一時的に保留されるようになる。また、筐体１１の前面側には硬貨返却口３８が設けられており、この硬貨返却口３８には開閉可能な扉３８ａ（図１参照）が設けられている。ここで、出金一時保留部３７が保留位置から出金位置に移動すると、出金一時保留部３７の底部が開かれることによりこの出金一時保留部３７に保留されている硬貨が硬貨返却口３８に送られ、当該硬貨返却口３８に硬貨が集積されるようになる。また、出金一時保留部３７に保留されている硬貨が硬貨返却口３８に送られると、扉３８ａが自動的に開くようになり、このことにより操作者は硬貨返却口３８から硬貨を取り出すことができるようになる。また、出金一時保留部３７の引渡位置の下方には収納シュート３９が設けられており、出金一時保留部３７が保留位置から引渡位置に移動すると、出金一時保留部３７の底部が開かれることによりこの出金一時保留部３７に保留されている硬貨が収納シュート３９に送られ、収納シュート３９により硬貨が貨幣収納部４０内に配置された硬貨回収カセット４２（後述）に送られるようになっている。
【００４７】
次に、貨幣収納部４０の構成について図１、図２および図５を用いて説明する。図１に示すように、貨幣収納部４０は、貨幣処理機１０の筐体１１の下部に設けられている。この貨幣収納部４０は、図２および図５に示すように、紙幣を収納する紙幣回収カセット４１および硬貨を収納する硬貨回収カセット４２を有している。紙幣回収カセット４１には、紙幣処理装置２０の紙幣保留部２９に保留された紙幣が収納されるようになっている（図２参照）。一方、硬貨回収カセット４２には、出金一時保留部３７から収納シュート３９に送られた硬貨が収納されるようになっている（図５参照）。また、回収業者の収集特定者によって、貨幣収納部４０が筐体１１の前面側へ引き出され、この収集特定者が各カセット４１、４２自体を貨幣収納部４０から回収するようになっている。
【００４８】
紙幣回収カセット４１の上面にはシャッタ（図示せず）が設けられている。紙幣回収カセット４１が貨幣収納部４０に収容された状態でこの貨幣収納部４０が筐体１１内にセットされた後、特定の処理を行うときに、図示しない駆動装置によって駆動されてシャッタは開いた状態となる。具体的には例えば、紙幣の引渡処理が行われるときにはシャッタが開いた状態となっており、紙幣保留部２９から紙幣回収カセット４１に紙幣を送ることができる。引渡処理が終了すると、シャッタは閉じた状態となる。一方、貨幣収納部４０が筐体１１から引き出されるときには、シャッタは必ず閉じた状態となる。また、紙幣回収カセット４１は錠を備えた図示しない扉を有しており、鍵を持つ特定の権限を有する者でないと扉の錠を開くことができないようになっている。また、紙幣回収カセット４１において、紙幣がステージ４１ａ上に積層状態で集積されるようになっている。ここで、ステージ４１ａは図２における上下方向に移動可能となっており、ステージ４１ａ上に紙幣が集積される度に、当該ステージ４１ａの位置が下降するようになっている。
【００４９】
また、硬貨回収カセット４２の上面にもシャッタ（図示せず）が設けられている。硬貨回収カセット４２が貨幣収納部４０に収容された状態でこの貨幣収納部４０が筐体１１内にセットされたときに、シャッタは開いた状態となる。このため、硬貨の引渡処理が行われるときにはシャッタが開いた状態となっており、出金一時保留部３７から収納シュート３９を介して硬貨回収カセット４２に硬貨を送ることができる。一方、貨幣収納部４０が筐体１１から引き出されたときには、シャッタは閉じた状態となる。また、硬貨回収カセット４２は錠を備えた図示しない扉を有しており、鍵を持つ特定の権限を有する者でないと扉の錠を開くことができないようになっている。
【００５０】
ここで、前述のように、紙幣処理装置２０や硬貨処理装置３０は店舗側に管理権限がある。このため、紙幣処理装置２０におけるリサイクル式紙幣収納部２７や、硬貨処理装置３０におけるリサイクル式硬貨収納部３４にある紙幣や硬貨に対する様々な処理や、この紙幣や硬貨の入出金情報や在高データへのアクセスは店舗側の権限のある操作者のみが行うことができる。一方、貨幣収納部４０は回収業者側に管理権限があるため、貨幣収納部４０にある紙幣や硬貨の回収は回収業者の収集特定者のみが行うことができるようになっている。
【００５１】
次に、貨幣処理機１０に設けられた他の様々な機構について説明する。図１に示すように、貨幣処理機１０の筐体１１の上面には、操作者が貨幣処理機１０の制御部１５（後述）に対して様々な指令を行うための操作部４５、および貨幣処理機１０における貨幣の処理内容等を表示する表示部４４が設けられている。ここで、操作部４５は、例えばテンキーや確定キー、スタートキー、取消キーならびにリセットキーを有しており、操作者が各キーを押すことにより貨幣処理機１０の制御部１５に対して様々な指令を行うことができるようになっている。表示部４４は、例えば液晶ディスプレイ（ＬＣＤ）から構成されている。
【００５２】
また、筐体１１の前面には、貨幣処理機１０における貨幣の処理内容等を印字するプリンタ４３、および操作者の操作権限の確認を行うためのカードリーダ４６がそれぞれ設けられている。カードリーダ４６は、操作者が携帯するＩＤカードのＩＤ情報の読み取りを行うようになっている。
【００５３】
次に、貨幣処理機１０における各構成部材の制御を行う制御部１５について図６を用いて説明する。制御部１５は貨幣処理機１０の筐体１１内に設置されている。
【００５４】
図４に示すように、制御部１５には、紙幣処理装置２０の各構成部材（例えば、搬送部２５、識別部２６、リサイクル式紙幣収納部２７（具体的には、駆動部２７ｘ、ロック部２７ｙ、入口検知センサ２７ｚ等）、紙幣ステージ２８、紙幣保留部２９、引出検知部２０ｐ、扉開閉検知部２０ｑ、異常検出手段５０、紙幣繰出抑止手段５２等）、硬貨処理装置３０の各構成部材（例えば、硬貨繰出部３３、搬送部３５、識別部３５ａ、選別部３６、リサイクル式硬貨収納部３４、出金一時保留部３７等）、貨幣収納部４０、プリンタ４３、表示部４４、操作部４５、カードリーダ４６、記憶部４７、通信インターフェース部４８等が接続されている。
【００５５】
制御部１５には、紙幣処理装置２０の識別部２６による紙幣の識別結果や、硬貨処理装置３０の識別部３５ａによる硬貨の識別結果が送られるようになっている。また、制御部１５には、操作部４５からの入力やカードリーダ４６によりカードから読み取られた操作者のＩＤ情報等の情報が送られるようになっている。
【００５６】
また、制御部１５は、貨幣処理機１０の操作が行われる際は操作部４５やカードリーダ４６から入力された操作者のＩＤ情報等をもとに操作者の権限の確認を行う。また、制御部１５は、紙幣処理装置２０や硬貨処理装置３０の各構成部材を制御したり、表示部４４、プリンタ４３等を制御したりするようになっている。
【００５７】
また、制御部１５は、通信インターフェース部４８を介して上位端末等の外部装置に対して信号の送受信を行うようになっている。
【００５８】
次に、このような構成からなる貨幣処理機１０の動作について説明する。本実施の形態では、貨幣処理機１０において、紙幣や硬貨の入金処理、出金処理、補充処理、回収処理、引渡処理等を行うことができるようになっている。なお、以下に示すような貨幣処理機１０の動作は、制御部１５が紙幣処理装置２０や硬貨処理装置３０の各構成部材を制御することによって行われるようになっている。
【００５９】
まず、紙幣や硬貨の入金処理について簡単に説明する。貨幣処理機１０において紙幣や硬貨の入金処理を行うにあたり、操作者が紙幣処理装置２０の紙幣投入口２１に紙幣を投入したり硬貨処理装置３０の硬貨投入口３１に硬貨を投入したりすると、筐体１１の内部に投入された紙幣や硬貨は識別部２６、３５ａにより識別された後に各リサイクル式紙幣収納部２７や各リサイクル式硬貨収納部３４に金種毎に収納される。
【００６０】
次に、紙幣や硬貨の出金処理について簡単に説明する。貨幣処理機１０において紙幣や硬貨の出金処理を行うにあたり、操作者が出金されるべき紙幣や硬貨の金種毎の枚数や合計金額等を操作部４５により入力すると、紙幣処理装置２０の各リサイクル式紙幣収納部２７に収納されている紙幣が当該リサイクル式紙幣収納部２７から繰り出されて紙幣返却口２３に送られたり、硬貨処理装置３０の各リサイクル式硬貨収納部３４に収納されている硬貨が当該リサイクル式硬貨収納部３４から繰り出されて出金一時保留部３７に保留された後に硬貨返却口３８に送られたりする。このことにより、操作者は出金されるべき紙幣や硬貨を紙幣返却口２３や硬貨返却口３８から筐体１１の外部に取り出すことができるようになる。
【００６１】
次に、紙幣や硬貨の補充処理について簡単に説明する。紙幣や硬貨の補充処理とは、紙幣を金種毎に紙幣処理装置２０の各リサイクル式紙幣収納部２７に補充したり、硬貨を金種毎に硬貨処理装置３０の各リサイクル式硬貨収納部３４に補充したりする処理のことをいう。貨幣処理機１０において紙幣や硬貨の補充処理を行うにあたり、操作者が紙幣処理装置２０の紙幣投入口２１に紙幣を投入したり硬貨処理装置３０の硬貨投入口３１に硬貨を投入したりすると、筐体１１の内部に投入された紙幣や硬貨は識別部２６、３５ａにより識別された後に各リサイクル式紙幣収納部２７や各リサイクル式硬貨収納部３４に金種毎に収納される。
【００６２】
次に、紙幣や硬貨の回収処理について簡単に説明する。回収業者の収集特定者により操作部４５を介して回収処理の指令が制御部１５に送られたときに、制御部１５は貨幣収納部４０の扉のロックを解除し、紙幣回収カセット４１や硬貨回収カセット４２を取り出し可能とする。回収業者の収集特定者が、各カセットを取り出して代わりの空のカセットと交換して扉を閉じると、回収された紙幣や硬貨の金種毎の枚数または合計金額もしくは金種毎の金額のデータである回収データが通信インターフェース部４８により外部装置（具体的には、回収業者の管理センターに設置されているコンピュータ等）に送信される。
【００６３】
次に、紙幣や硬貨の引渡処理について簡単に説明する。ここで、紙幣や硬貨の引渡処理とは、紙幣処理装置２０の各リサイクル式紙幣収納部２７に収納されている紙幣を貨幣収納部４０の紙幣回収カセット４１に送ったり、硬貨処理装置３０の各リサイクル式硬貨収納部３４に収納されている硬貨を貨幣収納部４０の硬貨回収カセット４２に送ったりする処理のことをいう。上述したように、貨幣収納部４０の管理権限が回収業者側に設定されているため、各リサイクル式紙幣収納部２７や各リサイクル式硬貨収納部３４から貨幣収納部４０に送られた紙幣や硬貨の管理権限が店舗側の管理権限下から回収業者側の管理権限下に変更される。そして、リサイクル式紙幣収納部２７やリサイクル式硬貨収納部３４の在高は、引渡処理が行われた紙幣や硬貨の金額や金種毎の枚数である貨幣引渡量分だけ減少し、一方、貨幣収納部４０の在高は、引渡処理が行われた紙幣や硬貨の金額や金種毎の枚数である貨幣引渡量分だけ増加する。貨幣引渡量は、日時や操作者ＩＤ等とともに引渡データとして記憶部４７に記憶される。
【００６４】
また、本実施の形態の貨幣処理機１０では、紙幣処理装置２０のあるリサイクル式紙幣収納部２７で紙幣の詰まり等の異常が発生した場合には、当該リサイクル式紙幣収納部２７における異常が異常検出手段５０により検出され、異常検出手段５０による検出情報が制御部１５に送られる。そして、制御部１５は、異常が発生した旨のメッセージを表示部４４に表示させる。この場合には、操作者は表示部４４に表示されるガイダンス画面を見ながら手動でエラー解除を行う必要がある。具体的には、操作者はまず筐体１１の前面側に設けられている外扉を開け、次に引出ユニット２０ａを筐体１１の外部に引き出す。その後、操作者は各リサイクル式紙幣収納部２７の側面を閉止するスタッカー扉２０ｂを開き、さらに各リサイクル式紙幣収納部２７に対応して設けられている第１マニュアルノブ２７ｑや第２マニュアルノブ２７ｒを回転させることにより手動でドラム２７ｐから紙幣を巻き出す。このことにより、リサイクル式紙幣収納部２７における紙幣の詰まり等の異常を解消することができるようになる。
【００６５】
ここで、本実施の形態では、紙幣繰出抑止手段５２は、所定条件が満たされたときに、異常検出手段５０により異常が検出されたリサイクル式紙幣収納部２７以外のリサイクル式紙幣収納部２７からの紙幣の繰り出しを抑止するようになっている。より詳細には、紙幣繰出抑止手段５２は、所定条件が満たされたときに、異常検出手段５０により異常が検出されたリサイクル式紙幣収納部２７以外のリサイクル式紙幣収納部２７におけるドラム２７ｐの繰出方向への回転動作を抑止するようになっている。具体的に説明すると、例えば図２において一番左側に位置するリサイクル式紙幣収納部２７ａで紙幣の詰まり等の異常が発生したことが異常検出手段５０により検出された場合には、図２においてリサイクル式紙幣収納部２７ａよりも右側に位置するリサイクル式紙幣収納部２７ｂ、２７ｃにおけるドラム２７ｐの繰出方向への回転動作が紙幣繰出抑止手段５２により抑止されるようになる。このことにより、異常が検出されていないリサイクル式紙幣収納部２７ｂ、２７ｃから紙幣が取り出されてしまうことを防止することができるため、リサイクル式紙幣収納部２７ａにおける異常を解消する際に異常が検出されていないリサイクル式紙幣収納部２７ｂ、２７ｃから誤って紙幣が取り出されてしまうことを防止することができる。また、異常が解消された後に異常が発生していたリサイクル式紙幣収納部２７ａに収納されている紙幣のみについて精査処理を行えばよくなり、よってエラー復旧に要する時間を短縮することができる。
【００６６】
また、本実施の形態では、制御部１５は、上記の所定条件が満たされたときに、異常検出手段５０により異常が検出されたリサイクル式紙幣収納部２７以外のリサイクル式紙幣収納部２７におけるドラム２７ｐが収納方向に一定時間回転させられるよう当該リサイクル式紙幣収納部２７の駆動部２７ｘを制御するようになっている。このことにより、異常検出手段５０により異常が検出されたリサイクル式紙幣収納部２７以外のリサイクル式紙幣収納部２７において、図４において参照符合Ｐで示すように出入口２７ｔ付近に残留しておりドラム２７ｐに巻かれていない紙幣が存在していた場合でも、ドラム２７ｐが収納方向（すなわち、図４における時計回りの方向）に一定時間回転させられることによってこのような紙幣がドラム２７ｐに巻き付けられるようになる。このことにより、異常を解消する際に異常が検出されていないリサイクル式紙幣収納部２７の出入口２７ｔ付近に残留している紙幣が取り出されてしまうことを防止することができる。
【００６７】
ここで、上記の「所定条件」は、異常検出手段５０によりあるリサイクル式紙幣収納部２７における異常が検出されることをいう。すなわち、異常検出手段５０によりあるリサイクル式紙幣収納部２７における異常が検出されたときに、制御部１５において所定条件が満たされたと判断され、異常検出手段５０により異常が検出されたリサイクル式紙幣収納部２７以外のリサイクル式紙幣収納部２７におけるドラム２７ｐの繰出方向への回転動作が紙幣繰出抑止手段５２により抑止されるようになる。また、この際に、異常検出手段５０により異常が検出されたリサイクル式紙幣収納部２７以外のリサイクル式紙幣収納部２７におけるドラム２７ｐが収納方向に一定時間回転させられるようになる。
【００６８】
なお、上記の「所定条件」は、異常検出手段５０によりあるリサイクル式紙幣収納部２７における異常が検出されることに限定されることはない。他の例として、操作部４５により所定の指令（具体的には、リサイクル式紙幣収納部２７の異常を解消するというエラー解除開始の指令）が入力されたときや、引出ユニット２０ａが筐体１１から引き出されたことが引出検知部２０ｐにより検知されたとき、あるいはスタッカー扉２０ｂが開かれたことが扉開閉検知部２０ｑにより検知されたときに、制御部１５において所定条件が満たされたと判断されるようになっていてもよい。
【００６９】
また、本実施の形態では、紙幣繰出抑止手段５２は、所定条件が満たされたときに、異常検出手段５０により異常が検出されたリサイクル式紙幣収納部２７以外のリサイクル式紙幣収納部２７における駆動モータ等の駆動部２７ｘにブレーキをかけ、当該駆動部２７ｘに対応するドラム２７ｐを繰出方向へ回転させる際の抵抗を大きくするようになっている。このことにより、操作者は異常検出手段５０により異常が検出されたリサイクル式紙幣収納部２７以外のリサイクル式紙幣収納部２７のドラム２７ｐを繰出方向へ回転させることが困難となる。なお、所定条件が満たされたときの紙幣繰出抑止手段５２の動作は、駆動モータ等の駆動部２７ｘにブレーキをかけてドラム２７ｐを繰出方向へ回転させる際の抵抗を大きくすることに限定されることはない。他の例として、紙幣繰出抑止手段５２は、所定条件が満たされたときに、異常検出手段５０により異常が検出されたリサイクル式紙幣収納部２７以外のリサイクル式紙幣収納部２７におけるドラム２７ｐの軸をロックするようロック部２７ｙを制御したり、異常検出手段５０により異常が検出されたリサイクル式紙幣収納部２７以外のリサイクル式紙幣収納部２７における案内ローラ２７ｈやドラム２７ｐとマニュアルノブ２７ｑ、２７ｒとの接続を遮断したりするようになっていてもよい。これらの場合には、異常検出手段５０により異常が検出されたリサイクル式紙幣収納部２７以外のリサイクル式紙幣収納部２７におけるドラム２７ｐを操作者がマニュアルノブ２７ｑ、２７ｒにより手動で回転させることができなくなる。また、更に他の例として、紙幣繰出抑止手段５２は、所定条件が満たされたときに、異常検出手段５０により異常が検出されたリサイクル式紙幣収納部２７以外のリサイクル式紙幣収納部２７におけるマニュアルノブ２７ｑ、２７ｒを回転させることができないようこれらのマニュアルノブ２７ｑ、２７ｒの回転位相を固定するようになっていてもよい。
【００７０】
また、本実施の形態では、貨幣処理機１０のメンテナンス時や清掃時等において、紙幣繰出抑止手段５２は全てのリサイクル式紙幣収納部２７におけるドラム２７ｐの繰出方向への回転動作を抑止するようになっている。この場合には、メンテナンス員や清掃員によって各リサイクル式紙幣収納部２７のメンテナンスや清掃が行われる際に各リサイクル式紙幣収納部２７から紙幣が取り出されてしまうことを防止することができる。
【００７１】
また、本実施の形態の紙幣処理装置２０では、ドラム２７ｐに巻き取られたテープ２７ｓの量を検知するテープ巻取量検知手段６０が設けられている。具体的には、図７に示すように、テープ巻取量検知手段６０は、リール２７ｅの軸に取り付けられている第１歯車６２と、第１歯車６２の歯とそれぞれ噛み合っている歯を有する第２歯車６４および第３歯車６６と、各歯車６２、６４、６６の角度を検知する角度検知センサ７２、７４、７６とを有している。ここで、第１歯車６２の歯の数と、第２歯車６４や第３歯車６６の歯の数とは互いに異なっている。具体的には、第１歯車６２の歯の数は例えば２３個であるのに対し、第２歯車６４の歯の数は２５個であり、第３歯車６６の歯の数は２４個である。このことにより、テープ２７ｓの巻き出しや巻き取りを行うリール２７ｅが１回転し、第１歯車６２がリール２７ｅと同期して１回転すると、第２歯車６４は１．０９回転し、また、第３歯車６６は１．０４回転することになる。この場合には、第１歯車６２に対応する第１角度検知センサ７２により検知される第１歯車６２の角度は０°となるのに対し、第２歯車６４に対応する第２角度検知センサ７４により検知される第２歯車６４の角度は３１．３°となり、また、第３歯車６６に対応する第３角度検知センサ７６により検知される第３歯車６６の角度は１５．０°となる。このような歯の数が互いに異なる３つの歯車６２、６４、６６を組み合わせることにより、第１歯車６２が５５２回転（＝２３×２４）するまでは各角度検知センサ７２、７４、７６により検知される各歯車６２、６４、６６の角度が互いに異なるようになる。このため、各角度検知センサ７２、７４、７６により検知される各歯車６２、６４、６６の角度を用いることにより、第１歯車６２が何回転したかを検知することができるようになるため、この第１歯車６２と同軸であるリール２７ｅから巻き出されたテープ２７ｓの量も検知することができるようになる。
【００７２】
なお、従来の紙幣処理装置では、ドラムに巻かれるテープの量を検知するにあたり、テープの端部の近傍に黒色シールを貼り、光学センサによりこの黒色シールを検知することによって、テープエンドを検知していた。しかしながら、このような方法ではテープエンドしか検知することができず、ドラムへのテープの巻き取り量自体を検知することができないため、リサイクル式紙幣収納部においてニアフル状態を検知するにあたり、ドラムへの紙幣の巻き取り枚数によりおおよそのニアフル状態を推測するしかなく、テープエンドまで有効に使用することができない（すなわち、テープ長ぎりぎりまで紙幣を収納させることができない）という問題があった。これに対し、上記のテープ巻取量検知手段６０を用いた場合には、各角度検知センサ７２、７４、７６により検知される各歯車６２、６４、６６の角度に基づいてリール２７ｅから巻き出されたテープ２７ｓの量を検知することができるため、テープ２７ｓのテープエンドまで有効に使用することができるようになる。
【００７３】
以上のような構成からなる本実施の形態の紙幣処理装置２０によれば、各々のリサイクル式紙幣収納部２７（収納繰出部）における異常を検出する異常検出手段５０と、所定条件が満たされたときに、異常検出手段５０により異常が検出されたリサイクル式紙幣収納部２７以外のリサイクル式紙幣収納部２７からの紙幣の繰り出しを抑止する紙幣繰出抑止手段５２（紙葉類繰出抑止手段）とがそれぞれ設けられている。このように、所定条件が満たされたときに、異常が検出されたリサイクル式紙幣収納部２７以外のリサイクル式紙幣収納部２７からの紙幣の繰り出しを抑止することにより、異常が検出されていないリサイクル式紙幣収納部２７から紙幣が取り出されてしまうことを防止することができる。このことにより、異常が検出されているリサイクル式紙幣収納部２７の異常を解消する際に、異常が検出されていないリサイクル式紙幣収納部２７から誤って紙幣が取り出されてしまうことを防止することができる。また、異常が解消された後に異常が発生していたリサイクル式紙幣収納部２７に収納されている紙幣のみについて精査処理を行えばよくなり、よってエラー復旧に要する時間を短縮することができる。
【００７４】
より詳細に説明すると、従来の紙幣処理装置では、あるリサイクル式紙幣収納部で紙幣の詰まり等の異常が発生した場合には、操作者はまず筐体の外扉を開け、次に各リサイクル式紙幣収納部が設けられている引出ユニットを筐体の外部に引き出し、その後、各リサイクル式紙幣収納部の側面を閉止するスタッカー扉を開き、さらに各リサイクル式紙幣収納部に対応して設けられているマニュアルノブを回転させることにより手動でドラムから紙幣を巻き出していた。このことにより、リサイクル式紙幣収納部における紙幣の詰まり等の異常を解消することができるようになる。しかしながら、上述した従来の紙幣処理装置では、各リサイクル式紙幣収納部が設けられている引出ユニットを筐体の外部に引き出した後、各リサイクル式紙幣収納部の側面を閉止しているスタッカー扉を開くと、操作者は異常が発生している各リサイクル式紙幣収納部以外の各リサイクル式紙幣収納部（すなわち、異常が発生していない各リサイクル式紙幣収納部）のマニュアルノブも回すことができるようになるため、このような異常が発生していない各リサイクル式紙幣収納部からも紙幣を取り出すことができるようになってしまう。このため、異常が発生していたリサイクル式紙幣収納部における異常が解消された後、全ての各リサイクル式紙幣収納部に収納されている紙幣について精査処理を行う必要があるため、エラー復旧に時間がかかるという問題があった。これに対し、本実施の形態の紙幣処理装置２０では、異常が検出されていないリサイクル式紙幣収納部２７から紙幣が取り出されてしまうことを防止することができるため、上述した従来の紙幣処理装置の問題点を解消することができるようになる。
【００７５】
また、本実施の形態の紙幣処理装置２０においては、上述したように、紙幣繰出抑止手段５２は、所定条件が満たされたときに、異常検出手段５０により異常が検出されたリサイクル式紙幣収納部２７以外のリサイクル式紙幣収納部２７におけるドラム２７ｐ（回転体）の繰出方向への回転動作を抑止するようになっている。この場合には、所定条件が満たされたときに、異常が検出されたリサイクル式紙幣収納部２７以外のリサイクル式紙幣収納部２７におけるドラム２７ｐの繰出方向への回転動作を抑止することにより、異常が検出されていないリサイクル式紙幣収納部２７から紙幣が取り出されてしまうことを防止することができるようになる。また、本実施の形態の紙幣処理装置２０においては、所定条件が満たされたときに、異常検出手段５０により異常が検出されたリサイクル式紙幣収納部２７以外のリサイクル式紙幣収納部２７におけるドラム２７ｐが収納方向に一定時間回転させられるようになっている。このことにより、異常検出手段５０により異常が検出されたリサイクル式紙幣収納部２７以外のリサイクル式紙幣収納部２７において、出入口２７ｔ付近に残留しておりドラム２７ｐに巻かれていない紙幣（図４において参照符合Ｐで表示）が存在していた場合でも、ドラム２７ｐが収納方向に一定時間回転させられることによってこのような紙幣がドラム２７ｐに巻き付けられるようになる。このことにより、異常を解消する際に異常が検出されていないリサイクル式紙幣収納部２７の出入口２７ｔ付近に残留している紙幣が取り出されてしまうことを防止することができる。
【００７６】
また、本実施の形態の紙幣処理装置２０においては、上述したように、紙幣繰出抑止手段５２は、所定条件が満たされたときに、異常検出手段５０により異常が検出されたリサイクル式紙幣収納部２７以外のリサイクル式紙幣収納部２７におけるドラム２７ｐを繰出方向へ回転させる際の抵抗を大きくするよう当該ドラム２７ｐに対応する駆動部２７ｘを制御するようになっている。なお、他の例として、紙幣繰出抑止手段５２は、所定条件が満たされたときに、異常検出手段５０により異常が検出されたリサイクル式紙幣収納部２７以外のリサイクル式紙幣収納部２７におけるドラム２７ｐの軸をロックするようロック部２７ｙを制御したり、異常検出手段５０により異常が検出されたリサイクル式紙幣収納部２７以外のリサイクル式紙幣収納部２７におけるドラム２７ｐとマニュアルノブ２７ｒ（把持部）との接続を遮断したりするようになっていてもよい。
【００７７】
また、本実施の形態の紙幣処理装置２０においては、上述したように、紙幣繰出抑止手段５２は、所定条件として、異常検出手段５０によりあるリサイクル式紙幣収納部２７における異常が検出されたとき、操作部４５により所定の指令が入力されたとき、引出ユニット２０ａが筐体１１から引き出されたことが引出検知部２０ｐにより検知されたとき、またはスタッカー扉２０ｂが開かれたことが扉開閉検知部２０ｑにより検知されたときに、異常検出手段５０により異常が検出されたリサイクル式紙幣収納部２７以外のリサイクル式紙幣収納部２７からの紙幣の繰り出しを抑止するようになっている。
【００７８】
なお、本実施の形態による紙幣処理装置２０は、上記の態様に限定されることはなく、様々な変更を加えることができる。
【００７９】
例えば、紙幣繰出抑止手段５２は、所定条件が満たされたときに、上述した様々な方法以外の方法で、異常検出手段５０により異常が検出されたリサイクル式紙幣収納部２７以外のリサイクル式紙幣収納部２７におけるドラム２７ｐの繰出方向への回転動作を抑止するようになっていてもよい。また、異常検出手段５０により異常が検出されたリサイクル式紙幣収納部２７以外のリサイクル式紙幣収納部２７におけるドラム２７ｐの繰出方向への回転動作を抑止する際の所定条件として、上述した様々な条件以外の条件が用いられてもよい。
【００８０】
また、本実施の形態による紙幣処理装置２０において、所定条件が満たされたときに、異常検出手段により異常が検出されたリサイクル式紙幣収納部２７（収納繰出部）以外のリサイクル式紙幣収納部２７におけるドラム２７ｐが収納方向に一定時間回転せず、代わりに当該ドラム２７ｐが単に停止するようになっていてもよい。
【００８１】
また、本発明では、複数のリサイクル式紙幣収納部２７から紙葉類収納繰出機構が構成されるようになっており、この紙葉類収納繰出機構が単体で用いられるようになっていてもよい。この場合には、本発明に係る紙葉類収納繰出機構に、上述した異常検出手段５０と同様の構成を有する異常検出手段が設けられるようになる。また、本発明に係る紙葉類収納繰出機構では、所定条件が満たされたときに、異常検出手段により異常が検出されたリサイクル式紙幣収納部２７（収納繰出部）以外のリサイクル式紙幣収納部２７からの紙幣の繰り出しが抑止されるようになる。また、本発明に係る紙葉類収納繰出機構では、所定条件が満たされたときに、異常検出手段により異常が検出されたリサイクル式紙幣収納部２７以外のリサイクル式紙幣収納部２７におけるドラム２７ｐが収納方向に一定時間回転させられるようになっていてもよい。
【００８２】
また、本発明では、紙幣を収納するとともに収納されている紙幣を繰り出す収納繰出部として、ドラム２７ｐを紙幣の収納方向に回転させながら紙幣とともに帯状のテープをドラム２７ｐに巻き付けることにより当該紙幣を収納するようなテープ式のリサイクル式紙幣収納部２７が用いられることに限定されることはない。紙幣を収納するとともに収納されている紙幣を繰り出す収納繰出部として、紙幣が積層状態でステージ上に集積されるとともに当該ステージに集積されている紙幣のうち最上層または最下層の紙幣が繰出ローラ等によって１枚ずつ繰り出されるようなスタッカ式のリサイクル式紙幣収納部が用いられてもよい。この場合でも、紙幣繰出抑止手段５２は、所定条件が満たされたときに、異常検出手段５０により異常が検出されたリサイクル式紙幣収納部以外のリサイクル式紙幣収納部からの紙幣の繰り出しを抑止するようになる。具体的には、紙幣繰出抑止手段５２は、異常検出手段５０により異常が検出されたリサイクル式紙幣収納部以外のリサイクル式紙幣収納部における繰出ローラの繰出方向への回転動作を抑止するようになる。
【００８３】
また、本発明に係る紙葉類処理機は、紙幣の処理を行う紙幣処理装置に限定されることはない。本発明に係る紙葉類処理機として、紙幣以外の紙葉類（例えば、小切手や商品券）の処理を行うものが用いられるようになっていてもよい。この場合には、本発明に係る紙葉類処理機には紙葉類の収納および繰り出しを行うための収納繰出部が複数設けられるようになる。具体的には、各収納繰出部として、例えば、ドラム等の回転体を紙葉類の収納方向に回転させながら紙葉類とともに帯状のテープ等の収納用媒体を回転体に巻き付けることにより当該紙葉類を収納するとともに回転体を収納方向とは逆方向の繰出方向に回転させることにより収納されている紙葉類を繰り出すようなテープ式のものが用いられる。また、本発明に係る紙葉類処理機には、所定条件が満たされたときに、異常検出手段により異常が検出された収納繰出部以外の収納繰出部からの紙葉類の繰り出しを抑止する紙葉類繰出抑止手段が設けられるようになる。このような紙葉類処理機によれば、異常を解消する際に異常が検出されていない収納繰出部から誤って小切手や商品券等の紙葉類が取り出されてしまうことを防止することができ、また、異常が解消された後に異常が発生していた収納繰出部に収納されている紙葉類のみについて精査処理を行えばよくなり、よってエラー復旧に要する時間を短縮することができるようになる。
【符号の説明】
【００８４】
１０    貨幣処理機
１１    筐体
１５    制御部
２０    紙幣処理装置
２０ａ  引出ユニット
２０ｂ  スタッカー扉
２０ｐ  引出検知部
２０ｑ  扉開閉検知部
２１    紙幣投入口
２２    紙幣リジェクト口
２３    紙幣返却口
２４    扉
２５    搬送部
２６    識別部
２７、２７ａ、２７ｂ、２７ｃ  リサイクル式紙幣収納部
２７ｄ  プーリ
２７ｅ  リール
２７ｆ、２７ｇ、２７ｈ、２７ｉ  案内ローラ
２７ｊ  ベルト
２７ｋ  プーリ
２７ｐ  ドラム
２７ｑ  第１マニュアルノブ
２７ｒ  第２マニュアルノブ
２７ｓ  テープ
２７ｔ  出入口
２７ｘ  駆動部
２７ｙ  ロック部
２７ｚ  入口検知センサ
２８    紙幣ステージ
２９    紙幣保留部
２９ａ  一時保留板
２９ｂ  押さえ部材
３０    硬貨処理装置
３１    硬貨投入口
３１ａ  シャッタ
３２    硬貨リジェクト口
３３    硬貨繰出部
３４    リサイクル式硬貨収納部
３４ａ  出金搬送部
３５    搬送部
３５ａ  識別部
３５ｂ  リジェクト選別部
３５ｃ  オーバーフロー選別部
３６    選別部
３７    出金一時保留部
３８    硬貨返却口
３８ａ  扉
３９    収納シュート
４０    貨幣収納部
４１    紙幣回収カセット
４１ａ  ステージ
４２    硬貨回収カセット
４３    プリンタ
４４    表示部
４５    操作部
４６    カードリーダ
４７    記憶部
４８    通信インターフェース部
５０    異常検出手段
５２    紙幣繰出抑止手段
６０    テープ巻取量検知手段
６２    第１歯車
６４    第２歯車
６６    第３歯車
７２    第１角度検知センサ
７４    第２角度検知センサ
７６    第３角度検知センサ
【図１】
2018041143.tif 000003
【図２】
2018041143.tif 000004
【図３】
2018041143.tif 000005
【図４】
2018041143.tif 000006
【図５】
2018041143.tif 000007
【図６】
2018041143.tif 000008
【図７】
2018041143.tif 000009